(57)【要約】【課題】フラックス等で汚染された接点でも安定した低い接触抵抗が得られるコンタクトを提供すること。【解決手段】金属板を打ち抜くことにより形成された湾曲部４を有するコンタクト１である。湾曲部の内側のエッジ部分５を潰し、これに対応して湾曲部の外側のエッジ部分７に外側に向けて突出した突起状の接点部８を形成した。【選択図】図１
2010135196.tif 000002
【特許請求の範囲】
【請求項１】
金属板を打ち抜くことにより形成された湾曲部を有するコンタクトにおいて、前記湾曲部の内側のエッジ部分を潰し、これにより前記湾曲部の外側のエッジ部分を外側に向けて突出させて突起状接点部を形成したことを特徴とするコンタクト。
【請求項２】
前記湾曲部を含む接触片を有し、前記湾曲部は前記接触片の一面側に膨出するように曲げ形成されている、請求項１に記載のコンタクト。
【請求項３】
前記接触片は、前記一面側が打ち抜きダレ面、他面側が打ち抜き面で構成されている、請求項２のいずれかに記載のコンタクト。
【請求項４】
前記接触片を一対有し、該一対の接触片は互いに対向しかつ端部を連結片で一体に連結されている、請求項２又は３に記載のコンタクト。
【請求項５】
前記エッジ部分は面打ち加工により潰されている、請求項１−４のいずれかに記載のコンタクト。
【請求項６】
前記湾曲部の外面が接触部とされ、前記突起状接点部は前記接触部の両側に夫々形成されている、請求項１−５のいずれかに記載のコンタクト。
【発明の詳細な説明】
【技術分野】
【０００１】
本発明は、電気コネクタなどに端子として使用可能なコンタクトに関する。
【背景技術】
【０００２】
この種のコンタクトの一例は特許文献１に開示されている。そのコンタクトは、互いに対向した接点間に相手コンタクトを挟み込んで接触させる構造である。接点は滑らかな曲面に形成されている。こうした滑らかな形状の接点は、接離を多数回繰り返すコネクタの場合に、接点表面の摩耗を減らし安定した接触抵抗を維持するのに貢献する。
【０００３】
【特許文献１】実用新案第２５４８３２号公報
【発明の開示】
【発明が解決しようとする課題】
【０００４】
しかしながら、接点が絶縁性の被膜をもつ場合、例えば、はんだ付け工程で混入したフラックス等で汚染された場合は、嵌合時の所謂ワイピング動作、即ち、接点間を摺動させる動作を行ってもその皮膜の破壊が難しく、したがって低く安定した接触抵抗を得ることはできない。具体的に述べると、コネクタのプリント基板へのはんだ付け作業で接点までフラックスが上がった場合や、プリント基板に予め塗布されているプリフラックスが接点部分にもある場合には、通常の滑らかな接点形状及び接触力では接触抵抗が非常に高く接触不良になる。
【０００５】
それ故に本発明の課題は、フラックス等で汚染された接点でも安定した低い接触抵抗が得られるコンタクトを提供することにある。
【課題を解決するための手段】
【０００６】
本発明の一態様によれば、金属板を打ち抜くことにより形成された湾曲部を有するコンタクトにおいて、前記湾曲部の内側のエッジ部分を潰し、これにより前記湾曲部の外側のエッジ部分を外側に向けて突出させて突起状接点部を形成したことを特徴とするコンタクトが得られる。
【０００７】
前記湾曲部を含む接触片を有し、前記湾曲部は前記接触片の一面側に膨出するように曲げ形成されていてもよい。
【０００８】
前記接触片は、前記一面側が打ち抜きダレ面、他面側が打ち抜き面で構成されていてもよい。
【０００９】
前記接触片を一対有し、該一対の接触片は互いに対向しかつ端部を連結片で一体に連結されていてもよい。
【００１０】
前記エッジ部分は面打ち加工により潰されていてもよい。
【００１１】
前記湾曲部の外面が接触部とされ、前記突起状接点部は前記接触部の両側に夫々形成されていてもよい。
【発明の効果】
【００１２】
本発明の一態様によるコンタクトは、湾曲部の外側のエッジ部分が外側に突出して突起状接点部を形成しているので、その接点部がフラックス等で汚染された場合でも、安定した低い接触抵抗が得られる。
【発明を実施するための最良の形態】
【００１３】
図１は本発明の第１の実施形態に係るコンタクトとしてのソケットコンタクトの斜視図であり、図２はソケットコンタクト１の要部（図の一点鎖線で囲んだ部分）のみを示す拡大斜視図であり、図３は図２のIII−III線に沿って得られた断面図であり、図４は図３の要部拡大図である。
【００１４】
このソケットコンタクト１は金属板に打ち抜き及び曲げ加工を施して形成されたものであり、互いに対向した板状の対の接触片２と、接触片２の端部を一体に連結した連結片３とを有している。対の接触片２は、互いに接近又は離間する方向でそれぞれバネ性を有し、かつ、自由端の近傍に互いに接近する向きに突出するように湾曲した湾曲部４をそれぞれ有している。湾曲部４の内側の左右エッジ部分５には凹部６が形成されている。これらの凹部６に対応して、湾曲部４の外側の左右エッジ部分７には、外側に向けて突出した鋭く尖った突起状の接点部８がそれぞれ形成されている。接点部８の間の部分を、接触部９と呼ぶ。
【００１５】
図５は図１のソケットコンタクトの接続相手となるピンコンタクトを接続させた状態の断面図である。
【００１６】
ピンコンタクト１０は板状のタブ端子であり、対の接触片２の間に強制挿入される。すると、接触片２は弾力的に撓み、その復元力により湾曲部４をピンコンタクト１０に圧接させる。その結果、ソケットコンタクト１とピンコンタクト１０とが電気的に接続される。その際、湾曲部４の鋭く尖った突起状の接点部８が合計４箇所でピンコンタクト１０に食い込むように接触するので、仮に接点部８やピンコンタクト１０の接点部にフラックス等の絶縁性の皮膜が付着していたとしても、その皮膜は接点部８により食い破られることになる。したがって、小さな接触力で安定した低い接触抵抗を得ることができる。
【００１７】
このように、従来と同じ接触力を与えても絶縁性の皮膜を食い破って金属同士の接触を得ることができるため、接触抵抗が低く安定する。したがって、上述したソケットコンタクトは、接点が絶縁性の被膜で汚染される危険性のあるコネクタに用いて効果的である。
【００１８】
なお、ソケットコンタクト１とピンコンタクト１０との接触点は４箇所に限られない。
【００１９】
次に、図２−図４を用いて、上述したソケットコンタクト１の製造方法の一例を具体的に説明する。
【００２０】
先ず、プレスせん断加工により金属板を所定形状に打ち抜く。この結果、通常は、金属板の切断面は、打ち抜きの前部には比較的整った面からなるせん断面１１が形成されるが、打ち抜きの後部には比較的粗い面からなる破断面１２が形成される。さらに、破断面１２の後端にはバリ１３が形成される。
【００２１】
次に、接触片となる板状部分の一面側における両エッジ部分、具体的には、せん断面１１に隣接したエッジ部分の一部を面打ち加工で潰すことで、反対面側の両エッジ部分に凸部を形成させる。この結果、板状部分の両面に所謂打ち抜き面２ａ及び打ち抜きダレ面２ｂがそれぞれ形成される。
【００２２】
その後、接触片となる板状部分を、バリ１３が形成された面が外側になるように曲げて円筒面形状に加工する。即ち、湾曲部４を接触片２の一面側に膨出形成する、すると、両エッジ部分に形成された凸部即ち余肉がさらに外側に向かって突出し、鋭く尖った突起となる。かくして、湾曲部４の左右エッジ部分にそれぞれ、鋭く尖った突起状の接点部８が形成される。このように、板状部分を円筒面に曲げると馬の鞍形状の変形を起こすことを利用し、曲げ加工の前に面打ち加工を施すことで、よりエッジの立った接点部８を実現することができる。
【００２３】
最後に、ソケットコンタクト１の表面全体に導電性のメッキを施す。
【００２４】
なお、上述した製造方法は一例であって、これに限られないことはいうまでもない。
【００２５】
また、図１−図５では一対の接触片を有する双子接触片タイプのソケットコンタクト１について説明したが、図６に示す第２の実施形態のように１つの接触片からなる片持梁タイプのコンタクト１４にも適用できる。
【００２６】
図６において、複数のコンタクト１４が絶縁性のハウジング１５に片持梁的に保持されている。コンタクト１４は、図１−図５を用いて説明したソケットコンタクト１の接触片２と同等な接触片２´を有している。即ち、接触片２´も、湾曲部４の内側の左右エッジ部分５を潰すことで突起状の接点部８を形成し、かつ、接点部８の間を接触部９としている。
【００２７】
なお、上述では特定の実施形態を用いて説明したが、様々な変形が可能なことはいうまでもない。
【図面の簡単な説明】
【００２８】
【図１】本発明の第１の実施形態に係るコンタクトとしてのソケットコンタクトの斜視図である。
【図２】図１のソケットコンタクトの要部のみを示す拡大斜視図である。
【図３】図２のIII−III線に沿って得られた断面図である。
【図４】図３の要部拡大図である。
【図５】図１のソケットコンタクトの接続相手となるピンコンタクトを接続させた状態の断面図である。
【図６】本発明の第２の実施形態に係るコンタクトを用いたコネクタのの斜視図である。
【符号の説明】
【００２９】
１  ソケットコンタクト
２, ２´  接触片
３  連結片
４  湾曲部
５  エッジ部分
６  凹部
７  エッジ部分
８  接点部
９  接触部
１０  ピンコンタクト
１１  せん断面
１２  破断面
１３  バリ
１４  コンタクト
１５  ハウジング
【図１】
2010135196.tif 000003
【図２】
2010135196.tif 000004
【図３】
2010135196.tif 000005
【図４】
2010135196.tif 000006
【図５】
2010135196.tif 000007
【図６】
2010135196.tif 000008